(57)【要約】【課題】  記入内容を第三者に盗み見られない状態に隠蔽すること、ラベルを用いることなく低コストで気軽に行えるようにした記入用紙を提供する。確認できるようにした記入用紙を提供する。【解決手段】  用紙上に個人情報記入欄が設けられた記入用紙であって、前記用紙の個人情報記入欄が設けられている領域上に剥離剤層が形成され、前記用紙の一部が、前記個人情報記入欄上に貼付して記入情報を覆い隠すために使用する情報隠蔽部であり、前記情報隠蔽部上に粘着剤層が設けられ、前記粘着剤層が、情報隠蔽部が折り畳まれた際に、前記剥離剤層と重なり合う領域に設けられている。【選択図】        図２
2007144640.tif 000002
【特許請求の範囲】
【請求項１】
用紙上に個人情報記入欄が設けられた記入用紙であって、
前記用紙の個人情報記入欄が設けられている領域上に剥離剤層が形成され、
前記用紙の一部が、前記個人情報記入欄上に貼付して記入情報を覆い隠すために使用する情報隠蔽部であり、前記情報隠蔽部上に粘着剤層が設けられ、前記粘着剤層が、情報隠蔽部が折り畳まれた際に、前記剥離剤層と重なり合う領域に設けられていることを特徴とする記入用紙。
【請求項２】
前記情報隠蔽部が前記個人情報記入欄上に折り畳まれ、前記粘着剤層が前記剥離剤層上に剥離可能に貼付されていることを特徴とする請求項１記載の記入用紙。
【請求項３】
前記個人情報記入欄が、葉書用紙に設けられていることを特徴とする請求項１又は請求項２に記載の記入用紙。
【発明の詳細な説明】
【技術分野】
【０００１】
本発明は、郵便葉書やアンケート用紙などの用紙に記入した記入内容を第三者に盗み見られない状態で隠蔽状態とすることができる記入用紙に関する。
【背景技術】
【０００２】
従来、郵便葉書やアンケート用紙など種々の用紙に個人情報などを記入して、その用紙を郵送したり、また、アンケート用紙回収箱などに入れたりすることで目的の相手に対してそれらの用紙を届けて情報の伝達を行うなどしている。
これら種々の用紙に記入された情報は、個人情報を含んでいるような第三者に見られては困るような情報であることも多く、第三者に盗み見られた場合には、様々な用途で悪用される危険性もある。
【０００３】
近年、特に個人情報保護の重要性が高まっていることから、記入用紙を配布して個人情報を収集する側において、収集した個人情報が漏洩しないように種々の方法で保護している場合が多いものの、用紙に記入された個人情報を表面上から見られる状態にしておけば用紙を取り扱う第三者によって簡単に盗み見られたり、またカメラで撮影されるなどして個人情報が不正に漏洩してしまう危険性がある。
【０００４】
このようなことから、従来、記入された情報の上に貼り付けて、情報が第三者によって簡単に盗み見られない状態とする隠蔽用ラベルが使用され、公知となっている。（例えば、特許文献１参照）
これらの隠蔽用ラベルは、情報を記入するための記入用紙に予め貼付させたり、また隠蔽用ラベルを記入用紙とは別体として添付するなどして、記入用紙に記入した情報の上に隠蔽用ラベルを貼り付けて記入情報が用紙上から直接的に見られない状態にしている。
【０００５】
【特許文献１】特開２００４−３２２４３０号公報
【発明の開示】
【発明が解決しようとする課題】
【０００６】
しかしながら、記入用紙に記入された情報を隠蔽するための隠蔽用ラベルを用意して記入者に渡すには、コストがかかると共に、隠蔽用ラベル作製のための手間もかかるという問題があり、特に大量の記入用紙を配布する際には気軽に隠蔽用ラベルの利用ができにくいという問題がある。
したがって、本発明は、記入内容を第三者に盗み見られない状態に隠蔽すること、ラベルを用いることなく低コストで気軽に行えるようにした記入用紙を提供する。
【課題を解決するための手段】
【０００７】
本発明の記入用紙は、用紙上に個人情報記入欄が設けられた記入用紙であって、前記用紙の個人情報記入欄が設けられている領域上に剥離剤層が形成され、前記用紙の一部が、前記個人情報記入欄上に貼付して記入情報を覆い隠すために使用する情報隠蔽部であり、前記情報隠蔽部上に粘着剤層が設けられ、前記粘着剤層が、情報隠蔽部が折り畳まれた際に、前記剥離剤層と重なり合う領域に設けられていることを特徴とする。
【０００８】
また、本発明の記入用紙は、前記情報隠蔽部が前記個人情報記入欄上に折り畳まれ、前記粘着剤層が前記剥離剤層上に剥離可能に貼付されていることを特徴とする。
【０００９】
更に、本発明の記入用紙は、前記個人情報記入欄が、葉書用紙に設けられていることを特徴とする。
【発明の効果】
【００１０】
本発明の記入用紙は、用紙の一部を個人情報記入欄上に貼付して記入情報を覆い隠すために使用する情報隠蔽部としたので、記入内容を第三者に盗み見られない状態に隠蔽すること、ラベルを用いることなく低コストで気軽に行えるという効果がある。
【００１１】
また、本発明の記入用紙は、情報隠蔽部が前記個人情報記入欄上に折り畳まれ粘着剤層が剥離剤層上に剥離可能に貼付されているので、情報隠蔽部を剥離した後に記入し、再度、個人情報記入欄上に情報隠蔽部を貼付させて、記入内容の隠蔽を行えるという効果がある。
【００１２】
更に、本発明の記入用紙は、個人情報記入欄が葉書用紙に設けられているので、葉書に記入した個人情報を隠蔽状態にして郵送することができるという効果がある。
【発明を実施するための最良の形態】
【００１３】
以下、本発明の実施形態に係る記入用紙について、図面に基づいて詳細に説明する。
図１は、本発明の第１実施形態に係る記入用紙の表面側の斜視図、図２は、本発明の第１実施形態に係る記入用紙の裏面側の斜視図、図３は、本発明の第１実施形態に係る記入用紙であって、情報隠蔽部が個人情報記入欄上に折り畳まれ粘着剤層が剥離剤層上に剥離可能に貼付されている状態を示す斜視図、図４は、図２のＡ−Ａ線断面図、図５は、図３のＢ−Ｂ線断面図、図６は、本発明の第２実施形態に係る記入用紙の表面側の斜視図、図７は、本発明の第２実施形態に係る記入用紙であって、情報隠蔽部が個人情報記入欄上に折り畳まれ粘着剤層が剥離剤層上に剥離可能に貼付されている状態を示す斜視図である。
【００１４】
本発明の第１実施形態に係る記入用紙１は、図１及び図２に示すように、記入用紙１の一部に折り畳み予定線である折り畳み用ミシン２が形成されて、その折り畳み用ミシン２から用紙の一部に設けられた情報隠蔽部３を折り畳めるようにしてある。
記入用紙１は、折り畳み用ミシン２を境にして葉書本体４と情報隠蔽部３とに分かれている。
また、葉書本体４の裏面には、図２に示すように、例えば電話番号、メールアドレス、連絡事項などの、葉書の差出人の個人情報を記入するための個人情報記入欄５が設けられている。
そして、情報隠蔽部３は、折り畳み用ミシン２から情報隠蔽部３を葉書本体４上に折り畳んだ場合に、情報隠蔽部３によって個人情報記入欄５上を覆い隠すことができ、個人情報記入欄５の記入情報を外部から見えない状態となるような寸法を有している。
【００１５】
図４に示すように、記入用紙１の情報隠蔽部３上には粘着剤層６が形成され、また、記入用紙１の個人情報記入欄５が設けられている領域上には剥離剤層７が形成されている。
粘着剤層６と剥離剤層７とは、折り畳み用ミシン２から記入用紙１を折り畳んだ際に、剥離剤層７が形成された領域上に粘着剤層６が重なり合う位置に設けられている。
そして、記入用紙１を利用して葉書として郵送する際には、情報隠蔽部３が個人情報記入欄５上に折り畳まれた際に、粘着剤層６が剥離剤層７上に剥離可能に貼付された状態で郵送される。
【００１６】
粘着剤層６に使用する粘着剤としては、公知の感圧で接着する粘着剤が適用できる。
粘着剤としては、特に限定されるものではなく、例えばアクリル酸、アクリル酸エステル、酢酸ビニール、アクリロニトリル、炭化水素樹脂、アルキルフェノール樹脂、ロジン、またはこれらの混合物の水分散液、およびロジントリグリセリド、水素化ロジンなどの有機溶媒液を、公知のコーティング法で塗布し乾燥する。
また、脂肪族オレフィン樹脂、ロジン、テルペンフェノール樹脂などの粘着付与剤を添加したイソブチレンーイソプレン共重合体、イソブチレンーブタジエン共重合体、エチレンースチレン含有ブロック共重合体などをホットメルトコーティング法で設けても良い。
【００１７】
また、剥離剤層７に使用される剥離剤には、公知の剥離剤が適用できるが、例えば、紫外線硬化型インキのメジウムなどが使用される。
尚、剥離剤層７が設けられる領域は、粘着剤層６が設けられている領域よりも広い領域とすることが好ましい。
それは、剥離剤層７が設けられる領域が粘着剤層６が設けられている領域よりも狭い領域にすると、粘着剤層７の周辺部分が剥離剤層５が設けられている領域からはみ出る状態となり、情報隠蔽部３を葉書本体４上から剥離する際に簡単に剥離できなくなるからである。
【００１８】
図３と図５には、情報隠蔽部３が個人情報記入欄５上に折り畳まれて粘着剤層６が剥離剤層７上に剥離可能に貼付されている状態が示されている。
本発明の記入用紙１は、予め情報隠蔽部３を個人情報記入欄５上に折り畳み、剥離剤層７上に粘着剤層６を重ね合わせ剥離可能に接着され、必要に応じて、情報隠蔽部３を個人情報記入欄５上から剥離させて、再度接着できるようにしてある。
これにより、個人情報記入欄５に個人情報を記入する際に、情報隠蔽部３を剥離させてから記入し、その後に再度第三者に盗み見られない状態に情報隠蔽部３を接着して記入情報の隠蔽を行えるようにしてある。
【００１９】
本発明の第１実施形態に係る記入用紙１は、封筒などに案内状やパンフレットなどの種々の資料と共に同封して送付する際に使用する返信用葉書として用いるのに適している。
返信用葉書として用いる場合には、予め葉書本体４の表面に宛名情報８をプリントし、更に葉書本体４の裏面に伝達情報９をプリントしておく。
また、個人情報記入欄５は、葉書本体４における宛名記載部以外のどこの領域に設けてもよく、例えば、葉書本体４の裏面全面や葉書本体４の表面の下部などに設けてもよい。
【００２０】
但し、葉書本体４の裏面全面に個人情報記入欄５を設けた場合や葉書本体４の表面の下部に個人情報記入欄５を設けた場合には、情報隠蔽部３もそれらの個人情報記入欄５を覆い隠すことが可能なサイズとして設ける必要がある。
いずれにしても、記入用紙１は、用紙の一部が、折り畳み予定線である折り畳み用ミシン２から折り畳んだ際に、個人情報記入欄上に貼付して記入情報を覆い隠すことができるように構成されている。
【００２１】
次に、本発明の第２実施形態に係る記入用紙について、図６及び図７に基づいて説明する。
本発明の記入用紙が、上記の葉書用紙に限らず、アンケート用紙などの種々の用途に用いる用紙に適応できる。
本発明の第２実施形態に係る記入用紙は、記入用紙をアンケート用紙に適応させた場合ものである。
【００２２】
本発明の第２実施形態に係る記入用紙であるアンケート用紙２０は、図６に示すように、横方向に対して順番に、アンケート本体２１と、情報隠蔽部２２とが折り畳み用ミシン２３を介して連接されている。
アンケート本体２１の表面には、その略左側半分の領域上にアンケートの質問内容２４が印刷され、また、その右側部分にはアンケート回答者の住所、氏名、回答内容を記入する個人情報記入欄２５が設けられている。
そして、アンケート本体２１の個人情報記入欄２５上には剥離剤層２６が設けられている。
また、情報隠蔽部２２の表面には粘着剤層２７が設けられている。
【００２３】
アンケート用紙２０は、情報隠蔽部２２が折り畳み用ミシン２３から折り畳まれて、アンケート本体２１の個人情報記入欄２５上に重ね合わされ、個人情報記入欄２５の剥離剤層２６と、情報隠蔽部２２の粘着剤層２７とが剥離可能に接着された状態に構成されている。
情報隠蔽部２２の粘着剤層２７に用いられている粘着剤は、一旦接着させた後でも剥離できる粘度を有する粘着剤が使用されている。
これにより、折り畳み用ミシン２３から情報隠蔽部２２を折り畳んで、アンケート本体２１の個人情報記入欄２５上に重ね合わせて粘着剤層２７で接着させたとしても、情報隠蔽部２２の用紙部分を指で摘んで引っ張り上げることで必要に応じて、情報隠蔽部２２を剥離させて、個人情報記入欄２５に記入された内容を露出させて見ることができるようになっている。
【００２４】
以上のように、本発明の記入用紙は、上記のように、記入された内容を第三者に見られない状態にして情報の漏洩防止を簡単に図れるように構成されているので、葉書用紙やアンケート用紙に限らず様々な用途の記入用紙に適応することができるものである。
【図面の簡単な説明】
【００２５】
【図１】本発明の第１実施形態に係る記入用紙の表面側の斜視図である。
【図２】本発明の第１実施形態に係る記入用紙の裏面側の斜視図である。
【図３】本発明の第１実施形態に係る記入用紙であって、情報隠蔽部が個人情報記入欄上に折り畳まれ粘着剤層が剥離剤層上に剥離可能に貼付されている状態を示す斜視図である。
【図４】図２のＡ−Ａ線断面図である。
【図５】図３のＢ−Ｂ線断面図である。
【図６】本発明の第２実施形態に係る記入用紙の表面側の斜視図である。
【図７】本発明の第２実施形態に係る記入用紙であって、情報隠蔽部が個人情報記入欄上に折り畳まれ粘着剤層が剥離剤層上に剥離可能に貼付されている状態を示す斜視図である。
【符号の説明】
【００２６】
１  記入用紙
２，２３  折り畳み用ミシン
３，２２  情報隠蔽部
４  葉書本体
５，２５  個人情報記入欄
６，２７  粘着剤層
７，２６  剥離剤層
８  宛名情報
９  伝達情報
２０  アンケート用紙
２１  アンケート本体
２４  質問内容
【図１】
2007144640.tif 000003
【図２】
2007144640.tif 000004
【図３】
2007144640.tif 000005
【図４】
2007144640.tif 000006
【図５】
2007144640.tif 000007
【図６】
2007144640.tif 000008
【図７】
2007144640.tif 000009